(57)【要約】【課題】形状や大きさが異なる複数種類のリードフレームであっても、１種類のリードフレームケースで、収納時にリードフレームの移動を確実に防止し、電子部品を確実に保護可能とすることを目的とする。【解決手段】リードフレームケース９の収納部９１の内周部に設置される、柱体形状に形成されたアダプタ本体２と、アダプタ本体２に設けた、リードフレームケース９に形成された孔９３に挿入される固定突起３を備えるリードフレームケース用アダプタ１。【選択図】  図１
2014172631.tif 000002
【特許請求の範囲】
【請求項１】
リードフレームケースの収納部の内周部に設置される、少なくとも一部が柱体形状に形成されたアダプタ本体と、前記アダプタ本体に設けた、リードフレームケースに形成された孔に挿入される固定突起を備えることを特徴とするリードフレームケース用アダプタ。
【請求項２】
前記アダプタ本体は、壁状の基部と該基部の側端から、該基部と直交する方向に延設された壁状の側壁部を備えることを特徴とする請求項１に記載のリードフレームケース用アダプタ。
【請求項３】
前記側壁部は前記基部の両側端から延設されたことを特徴とする請求項２に記載のリードフレームケース用アダプタ。
【請求項４】
前記基部及び前記側壁部は柱体形状に形成されていることを特徴とする請求項２又は３に記載のリードフレームケース用アダプタ。
【請求項５】
前記固定突起は、前記基部の上下端から突出させて設けた突起、アダプタ本体の外側面の三方位に切り込みを入れて形成した可撓性を備えた突起、アダプタ本体の下端から下方へ延設した縦片及び該縦片の下部から側方に延設した横片で構成した突起、又は、アダプタ本体の外側面に側方に突出させて設けた突起、から選択される１以上の突起であることを特徴とする請求項１から４のうちいずれか１項に記載のリードフレームケース用アダプタ。
【請求項６】
前記アダプタ本体の一部は平板体で構成されていることを特徴とする請求項１から５のうちいずれか１項に記載のリードフレームケース用アダプタ。
【請求項７】
請求項１から６のうちいずれか１項に記載のリードフレームケース用アダプタを複数個連結部材で連結して構成したことを特徴とするリードフレームケース用アダプタ。
【請求項８】
請求項１から７のうちいずれか１項に記載のリードフレームケース用アダプタと、前記アダプタ本体に設けた固定突起を挿入するための孔を備えるリードフレームケースとを備え、前記リードフレームケースの孔に前記アダプタ本体に設けた固定突起を挿入して、リードフレームケースの収納部内に前記リードフレームケース用アダプタを設置したことを特徴とするリードフレームケース用アダプタ付リードフレームケース。
【発明の詳細な説明】
【技術分野】
【０００１】
本発明は、電子部品を塔載したリードフレームを収納して運搬、保存するためのリードフレームケースに用いるアダプタであって、リードフレームケースの収納部の形状を変形させて収納部の大きさを調節するために用いるアダプタに関する。
【背景技術】
【０００２】
従来から電子部品を塔載したリードフレームを収納して運搬、保存するために、所定の剛性を備えた合成樹脂製の箱型容器であるリードフレームケースが使用されている（例えば、特許文献１参照。）。
【０００３】
しかし、リードフレームケースは、電子部品を保護するために所定の剛性を備えると共に、収納時にリードフレームの移動を防止するために、リードフレームの形状に対応させてその収納部が構成されているので、１種類のリードフレームケースは同一形状のリードフレームのみに適合し、異なる大きさや形状のリードフレームを収納することが出来なかった。
【先行技術文献】
【特許文献】
【０００４】
【特許文献１】特許第４２８０３７２号公報
【発明の概要】
【発明が解決しようとする課題】
【０００５】
しかし、１種類のリードフレームケースが同一形状のリードフレームのみにしか使用出来ないと、リードフレームの種類毎に異なるリードフレームケースが必要となり、リードフレームの種類によりリードフレームケースを取り替えなければならなくなる。このような状況では、リードフレームケースの管理が煩雑であり、又、保管に広い場所が必要であるという問題点があった。
【０００６】
そこで、本発明は、形状や大きさが異なる複数種類のリードフレームであっても、１種類のリードフレームケースで、収納時にリードフレームの移動を確実に防止し、電子部品を確実に保護可能とすることを１つの目的とする。又、本発明の他の目的の１つは、リードフレームケースの管理を容易とすることであり、更に他の目的の１つは、リードフレームケースの保管のための場所の省スペース化を図ることである。
【課題を解決するための手段】
【０００７】
上記課題を解決するための本発明は、リードフレームケースの収納部の内周部に設置される、少なくとも一部が柱体形状に形成されたアダプタ本体と、前記アダプタ本体に設けた、リードフレームケースに形成された孔に挿入される固定突起を備えることを特徴とするリードフレームケース用アダプタである。
【０００８】
又、上記リードフレームケース用アダプタにおいて、前記アダプタ本体は、壁状の基部と該基部の側端から、該基部と直交する方向に延設された壁状の側壁部を備えることを特徴とするリードフレームケース用アダプタである。
【０００９】
又、上記リードフレームケース用アダプタにおいて、前記側壁部は前記基部の両側端から延設されたことを特徴とするリードフレームケース用アダプタである。
【００１０】
又、上記リードフレームケース用アダプタにおいて、前記基部及び前記側壁部は柱体形状に形成されていることを特徴とするリードフレームケース用アダプタである。
【００１１】
又、上記リードフレームケース用アダプタにおいて、前記固定突起は、前記基部の上下端から突出させて設けた突起、アダプタ本体の外側面の三方位に切り込みを入れて形成した可撓性を備えた突起、アダプタ本体の下端から下方へ延設した縦片及び該縦片の下部から側方に延設した横片で構成した突起、又は、アダプタ本体の外側面に側方に突出させて設けた突起、から選択される１以上の突起であることを特徴とするリードフレームケース用アダプタである。
【００１２】
又、上記リードフレームケース用アダプタにおいて、前記アダプタ本体の一部は平板体で構成されていることを特徴とするリードフレームケース用アダプタである。
【００１３】
又、上記リードフレームケース用アダプタを複数個連結部材で連結して構成したことを特徴とするリードフレームケース用アダプタである。
【００１４】
更に、上記リードフレームケース用アダプタと、前記アダプタ本体に設けた固定突起を挿入するための孔を備えるリードフレームケースとを備え、前記リードフレームケースの孔に前記アダプタ本体に設けた固定突起を挿入して、リードフレームケースの収納部内に前記リードフレームケース用アダプタを設置したことを特徴とするリードフレームケース用アダプタ付リードフレームケースである。
【発明の効果】
【００１５】
以上のような本発明によれば、形状や大きさが異なる複数種類のリードフレームであっても、１種類のリードフレームケースで、収納時にリードフレームの移動を確実に防止し、電子部品を確実に保護可能とすることが可能となった。又、リードフレームケースの管理を容易とすることが出来た。更に、リードフレームケースの保管のための場所の省スペース化を図ることが出来た。
【図面の簡単な説明】
【００１６】
【図１】リードフレームケース用アダプタ斜視図
【図２】リードフレームケース用アダプタ使用状態平面図
【図３】図２Ａ−Ａ断面図
【図４】リードフレームケース用アダプタ付リードフレームケース分解斜視図
【図５】リードフレームケース用アダプタの各種実施例平面図
【図６】リードフレームケース用アダプタの実施例平面図
【図７】リードフレームケース用アダプタの実施例斜視図
【図８】リードフレームケース用アダプタの実施例平面図
【図９】リードフレームケース用アダプタの実施例平面図（ａ）及び断面図（ｂ）
【図１０】リードフレームケース用アダプタの実施例平面図（ａ）及び側面図（ｂ）
【図１１】リードフレームケース用アダプタの実施例平面図
【図１２】リードフレームケース用アダプタ斜視図
【図１３】リードフレームケース用アダプタ使用状態斜視図
【発明を実施するための形態】
【００１７】
以下本発明の実施形態を図を参照して説明する。リードフレームケース用アダプタ１はリードフレームケース９の収納部９１の大きさ、即ち平面積及び体積を減じるためのものであり、図１〜図４に示すように、リードフレームケース９の収納部９１の内周部に設置される、少なくとも一部が柱体形状に形成されたアダプタ本体２と、アダプタ本体２に設けた、リードフレームケース９に設けた孔に挿入される固定突起３を備えて構成されている。リードフレームケース用アダプタ１の材質は特に限定されないが、軽量で可撓性を有する合成樹脂が好適である。
【００１８】
アダプタ本体２は、リードフレームケース９のリードフレームを収納するための収納部９１の大きさを減じるための部分であり、平面視直線状であって壁状の基部２１の両側端から、基部２１と直交する方向に、夫々同一の厚さ及び同一の長さで壁状の側壁部２２が延設され、横断面形状がコの字型に形成されている。又、基部２１及び側壁部２２は夫々四角柱体形状に形成され、アダプタ本体２の高さは均一で、リードフレームケース９に設置した際に後述する長孔９３の上端より低くなる高さに形成している。
【００１９】
又、基部２１の長さは収納部９１の短手方向の長さ以下であって、リードフレームケース用アダプタ１をリードフレームケース９に設置した際に、収納部９１に嵌る長さに形成する。尚、柱体形状の基部２１及び側壁部２２は、軽量化のために、内部空洞に形成することが好ましい。又、内部空洞に形成した場合には、強度を高めるために、空洞部分２０にリブ４を形成することが好ましい。
【００２０】
リードフレームケース用アダプタ１はリードフレームケース９の収納部９１の長手方向の両端部に、アダプタ本体２の外側面２０１が収納部９１の内壁面９１２に接触するように設置され、収納部９１の四隅を覆う。そして、基部２１及び側壁部２２は夫々所定の厚みを有しているので、基部２１の厚みＬの２倍の長さが収納部９１の長手方向の長さから減じられ、側壁部２２の厚みＭの２倍の長さが収納部９１の短手方向の長さから減じられ、大きさ、即ち平面積及び体積が縮小された収納部９１０が形成される。このような収納部９１０は、収納部９１に嵌るリードフレームより小さいリードフレーム１００の収納に適したものとなる。
【００２１】
固定突起３はリードフレームケース用アダプタ１をリードフレームケース９に着脱自在に固定するための突起である。固定突起３としては、基部２１の外側面２１１に、棒状の突起を基部２１の上下端から突出させて設ける棒状固定突起３１を用いている。この棒状固定突起３１は、リードフレームケース９の側壁に形成された長孔９３を利用してリードフレームケース用アダプタ１をリードフレームケース９に固定する構成であり、長孔９３に対応させて形成したものである。尚、長孔９３は、蓋体９９の係止突起９９１を挿入して蓋体９９をリードフレームケース９に固定するために用いられるものである。又、リードフレームケースに形成された孔には、リードフレームケース９の側壁を貫通する貫通孔及び貫通しない凹部も含む。
【００２２】
リードフレームケース用アダプタ１をリードフレームケース９に設置する際には、長孔９３に棒状固定突起３１の基部２１から下方に突出させた下部突出部３１１を挿入し、次いで棒状固定突起３１の基部２１から上方に突出させた上部突出部３１２を長孔９３に挿入する。図２及び図３に示すように、下部突出部３１１はリードフレームケース９の底板９４に引掛り、リードフレームケース用アダプタ１が収納部９１の内側へ移動することを規制し、上部突出部３１２の上面が長孔９３の上内面に対向して、リードフレームケース用アダプタ１が上方へ移動することを規制する。リードフレームケース用アダプタ１の対向するリードフレームケース９の内壁面９１２方向への移動は、アダプタ本体２の外側面２０１がリードフレームケース９の内壁面９１２と接触することにより規制される。更に、蓋体９９の使用時には、上部突出部３１２が蓋体９９の下縁９９６に設けた係止突起９９１に引掛り、リードフレームケース用アダプタ１が収納部９１の内側へ移動することを規制している。
【００２３】
リードフレームケース用アダプタの形状として、上述の形状に限定されず、アダプタ本体２は少なくとも一部が柱体形状に形成されていればよく、アダプタ本体２の一部は平板体で構成されてもよく、例えば図５に示すように、上述のリードフレームケース用アダプタ１の形状の一部を変更した構成とすることとしてもよい。即ち、リードフレームケース用アダプタ１１は、基部２１が平板体で構成され（図５（ａ））、リードフレームケース用アダプタ１２は、アダプタ本体２は、柱体形状の基部２１のみで構成され、側壁部を備えない構成（図５（ｂ））、リードフレームケース用アダプタ１３は、基部２１の中間部が平板体で構成された構成（図５（ｃ））、リードフレームケース用アダプタ１４は、基部２１が平板体で構成され、基部２１の一側端のみから、柱体形状の側壁部２２を延設した構成（図５（ｄ））、リードフレームケース用アダプタ１５は、柱体形状の基部２１の一側端のみから、柱体形状の側壁部２２を延設した構成（図５（ｅ））としてもよい。
【００２４】
更に、図示はしないが、柱体形状の基部の一側端から柱体形状の側壁部が延設され、他側端から平板体で構成された側壁部が延設された構成、柱体形状の基部の両側端から平板体で構成された側壁部が延設された構成等とすることも出来る。又、基部や側壁部の柱体形状も、四角柱体に限定されない。このようにリードフレームケース用アダプタの形状を様々に変更することにより、収納部９１０の平面形状及び体積も自由に変化させることが出来る。
【００２５】
又、リードフレームケース９の収納部９１内の長手方向の両端部に設置される２個のリードフレームケース用アダプタ１は、別個独立した構成であるが、複数個のリードフレームケース用アダプタ１を連結部材で連結して、一体に形成してもよい。このような構成とすることで、収納部９１への設置作業が１度ですみ、容易となる。
【００２６】
具体的には、図６及び図７に示すように、リードフレームケース用アダプタ１６は、収納部９１の底面を覆う平板状の連結底板５１で連結してもよい。或いは、図８に示すように、リードフレームケース用アダプタ１７は、基部２１の両端から延設された連結側板５２で連結してもよい。連結側板５２は、収納するリードフレームの取り出しを容易とするために、アダプタ本体２の下端部分にのみ形成するが、リードフレームケース９の側面の切り欠き部９５に対応した切り欠きを形成してアダプタ本体２と同一の高さに形成してもよい。尚、リードフレームケース用アダプタ１６及び１７は、アダプタ本体２が基部２１のみで構成された形態で図示しているが、この形態に限定されず、アダプタ本体２は上述のような側壁部を備えた構成としてもよい。
【００２７】
又、リードフレームケース用アダプタは、図９に示すように、収納部９１の短手方向の両端部に設置する構成としてもよい。リードフレームケース用アダプタ１８は、アダプタ本体１８０が、平面視直線状の基部２１０の両側端から、基部２１０と直交する方向に、夫々同一の厚さ及び同一の長さで側壁部２２０が延設され、平面視でコの字型に形成されている。又、基部２１０及び側壁部２２０は夫々四角柱体形状に形成され、基部２１０の長さは収納部９１の長手方向の長さ以下であって、リードフレームケース９に設置した際に、収納部９１に嵌る長さに形成する。基部２１０は、リードフレームケース９の側面の切り欠き部９５に対応した切り欠き凹部２１９を形成し、アダプタ本体１８０の高さは、高い箇所でも、リードフレームケース９に設置した際に長孔９３の上端より低くなる高さに形成している。尚、棒状固定突起３１は側壁部２２０の外側面２２１に設けている。
【００２８】
又、リードフレームケース用アダプタは、図１０に示すように、アダプタ本体１９０が収納部９１の内周部の全周に亘って平面視ロの字型に形成された構成としてもよい。リードフレームケース用アダプタ１９は、アダプタ本体１９０が収納部９１に嵌る長さに形成する。又、アダプタ本体１９０の四辺は夫々四角柱体形状に形成され、アダプタ本体１９０にはリードフレームケース９の側面の切り欠き部９５に対応した切り欠き凹部２１９を形成し、アダプタ本体１９０の高さは、高い箇所でも、リードフレームケース９に設置した際に長孔９３の上端より低くなる高さに形成している。尚、棒状固定突起３１はアダプタ本体２の長手方向端部の外側面に設けている。
【００２９】
更に、リードフレームケース用アダプタは、図１１に示すように、平面視直線状の基部２１５の一側端から、基部２１５と直交する方向に、側壁部２２５が延設され、横断面形状がＬの字型に形成された構成としてもよい。リードフレームケース用アダプタ１０は、基部２１５及び側壁部２２５が夫々四角柱体形状に形成され、アダプタ本体１０２の高さは均一で、リードフレームケース９に設置した際に長孔９３の上端より低くなる高さに形成している。リードフレームケース用アダプタ１０はリードフレームケース９の収納部９１の四隅に夫々設置され、収納部９１の四隅を覆う。尚、棒状固定突起３１は基部２１５の外側面に設けている。
【００３０】
このように、リードフレームケース用アダプタのリードフレームケース９への設置は、リードフレームケース用アダプタの平面形状、収納したいリードフレームの形状に応じて、収納部９１の両側端でも、一側端側にのみの設置でもよく、又、リードフレームケースの収納部９１の四隅のうち何れか一隅以上の隅に設置されればよく、対角の２隅にのみの設置でもよい。
【００３１】
又、固定突起３としては、棒状固定突起３１の他、可撓性固定突起３２や曲折固定突起３３を採用することが出来る。これらの固定突起３は、１種又は複数種を組み合わせてリードフレームケース用アダプタに形成することが出来る。複数種を組み合わせることにより、リードフレームケース用アダプタのリードフレームケース９への固定強度が高まるので好ましい。
【００３２】
３種類の固定突起３を組み合わせた例として、図１２及び図１３に示すように、リードフレームケース用アダプタ７には棒状固定突起３１、可撓性固定突起３２及び曲折固定突起３３が形成されている。尚、可撓性固定突起３２は、アダプタ本体７０の両側の側壁部７２の外側面７２１に夫々形成している。
【００３３】
可撓性固定突起３２は、アダプタ本体７０の側壁部７２の外側面７２１の三方位に切り込み７０１を入れて、上辺で側壁部７２と連結する可撓性を備えた可撓片７０７を形成し、可撓片７０７上に外方に突出させて形成している。可撓性固定突起３２は、リードフレームケース用アダプタ７の内側に撓ませながらリードフレームケース９に形成した開口孔９６に挿入させて、撓みを元の状態として、開口孔９６に可撓性固定突起３２を係合させて、リードフレームケース用アダプタ７の上方及び側方への移動を規制して、リードフレームケース用アダプタ７をリードフレームケース９に固定している。
【００３４】
尚、可撓片７０７は上辺で側壁部７２と連結する構成であるが、切り込みの位置を替えて、側辺又は下辺で側壁部７２と連結する構成としてもよい。又、基部７１の棒状固定突起３１に替えて可撓性固定突起３２を形成する構成としてもよい。
【００３５】
曲折固定突起３３は、リブ４の下端から下方へ延設した縦片３３１及び縦片３３１の下部からアダプタ本体７０の基部７１方向の側方に延設した横片３３２で構成し、側面視でＬ字型に形成している。曲折固定突起３３は、リブ４の形状に応じて、平板状の曲折固定突起３３９としたり、ブロック状の曲折固定突起３３８としたりすることとしてもよい。そして、リードフレームケース用アダプタには、曲折固定突起３３９と曲折固定突起３３８のうち一種類を設ける構成としてもよく、二種類を設ける構成としてもよい。
【００３６】
曲折固定突起３３は、リードフレームケース９の底板９４に形成した係止突起９７１を備える固定孔９７に上方から挿入し、水平方向にスライドさせて係止突起９７１をリブ４と横片３３２間に挿入し、横片３３２を係止突起９７１で係止して、上方及び横片３３２の突出方向と直交する横方向への移動を規制してリードフレームケース用アダプタ７をリードフレームケース９に固定している。
【００３７】
尚、図示はしないが、可撓性固定突起３２と曲折固定突起３３との２種類の固定突起３を組み合わせる場合、リードフレームケース用アダプタの着脱は水平方向に移動させて行うことから、可撓性固定突起３２は、側辺で側壁部７２と連結する可撓片上に形成することが、着脱が容易となるので、好ましい。
【００３８】
又、固定突起３としては、棒状固定突起３１の中間部分を形成せずに、アダプタ本体の基部の上下端から突出させて設けた下部突出部３１１及び上部突出部３１２の構成のみで固定突起３を構成してもよい。又、リードフレームケース９の側壁に貫通しない孔を設ける一方、該孔の深さ以下の高さに形成された突起を、アダプタ本体の外側面に側方に突出させて設けて固定突起３とすることも出来る。更に、固定突起３の設置位置、大きさは、リードフレームケース９の孔に対応させれば、特に限定されない。
【産業上の利用可能性】
【００３９】
以上のように、本発明の、リードフレームケース用アダプタは、リードフレームケースの収納部の大きさを調節するために好適であり、１種類のリードフレームケースで複数種類のリードフレームを収納することが出来て極めて有用である。
【符号の説明】
【００４０】
１      リードフレームケース用アダプタ
１０〜１９  リードフレームケース用アダプタ
１００  リードフレーム
２      アダプタ本体
２０    空洞部分
２０１  アダプタ本体の外側面
２１    基部
２１１  基部の外側面
２１９  切り欠き凹部
２２    側壁部
３      固定突起
３１    棒状固定突起
３１１  下部突出部
３１２  上部突出部
３２    可撓性固定突起
３３    曲折固定突起
３３１  縦片
３３２  横片
４      リブ
５１    連結底板
５２    連結側板
７      リードフレームケース用アダプタ
７０    アダプタ本体
７０１  切り込み
７０７  可撓片
７２    側壁部
７２１  側壁部の外側面
９      リードフレームケース
９０    リードフレームケースの本体
９１    収納部
９１０  収納部
９１２  収納部の内壁面
９３    長孔
９４    底板
９５    切り欠き部
９６    開口孔
９７    固定孔
９７１  係止突起
９９    蓋体
９９１  係止突起
９９６  蓋体の下縁
【図１】
2014172631.tif 000003
【図２】
2014172631.tif 000004
【図３】
2014172631.tif 000005
【図４】
2014172631.tif 000006
【図５】
2014172631.tif 000007
【図６】
2014172631.tif 000008
【図７】
2014172631.tif 000009
【図８】
2014172631.tif 000010
【図９】
2014172631.tif 000011
【図１０】
2014172631.tif 000012
【図１１】
2014172631.tif 000013
【図１２】
2014172631.tif 000014
【図１３】
2014172631.tif 000015